(57)【要約】【課題】従来のポーチライトやガーデンライト等の玄関入口廻りの問題を解消して、外玄関のスペースの有効利用、玄関廻りのクリーニングの簡素化、照明面積を大とし、且つ、高い防犯性、ドア表情のイメージ替え等を満足することの出来る新しい玄関照明ドア装置の提供を目的とする。【解決手段】照明機能装置が当該照明機能装置による照明光をドア自身、又は引き戸自身より出射するように、ドア又は引き戸の室内側パネルと室外側パネルの間に空間を設け、その空間に照明機能装置を備え、少なくとも室外側のパネルに照明光を透過する照明パネルを設けることで、ドア自身から照明光を出射している点にある。【選択図】  図１
2004270223.tif 000002
【特許請求の範囲】
【請求項１】
建物等の玄関ドアにおいて、室内側と室外側のドアパネル間に空間を設け、その空間内に照明機能装置を備え、少なくとも室外側ドアパネルに照明光を透過させる照明パネルを設けることにより、ドア自身から照明光を出射するようにしたことを特徴とする照明機能付玄関ドア。
【請求項２】
照明パネルを脱着可能としたことを特徴とする請求項１記載の照明機能付玄関ドア。
【請求項３】
照明パネルを支持固定する枠の一端に、開閉用の回転軸を設け、枠を開くことで照明パネルを脱着し、枠を閉じることで照明パネルを支持固定できるようにしたことを特徴とする請求項２記載の照明機能付玄関ドア。
【請求項４】
照明パネルと照明パネルを支持固定する枠及び、照明機能装置を一体にして照明箱体を構成し、この照明箱体を玄関ドアより取り外し、あるいは装着を可能にしたことを特徴とする請求項２記載の照明機能付玄関ドア。
【請求項５】
照明パネルと照明パネルを支持固定する枠及び、照明機能装置が一体となった照明箱体をドア本体に通電可能な電通丁番にて取り付けたことを特徴とする請求項４記載の照明機能付玄関ドア。
【請求項６】
照明箱体を装着するドア本体開口部の室外側を、光透過材にて塞いだことを特徴とする請求項４又は請求項５記載の照明機能付玄関ドア。
【請求項７】
照明パネルが取り付けてある位置に対応した室内側ドアパネルに、非透過性の裏板もしくは格子を取り付けたことを特徴とする請求項１記載の照明機能付玄関ドア。
【発明の詳細な説明】
【０００１】
【発明の属する技術分野】
本発明は、建築物のドア又は引き戸に関し、特に照明機能が内装された玄関ドアに係る。
【０００２】
【従来の技術】
玄関廻りの照明は、ドア又は引き戸とは別に、ポーチライト又はガーデンライト等の独立した照明器具を玄関の外壁面、庇軒天、外玄関フロア横に設置して、玄関ドア自身、あるいは玄関フロアを照らしている。
また、玄関ドアの上部にガラスを納め、玄関の内側の照明光を外側へ透過させている場合もあった。
【０００３】
しかしながら、ポーチライトの場合、通常、玄関外壁面に取り付けるためのスペースが、また、ガーデンライトの場合には、玄関フロアのスペース確保が必要であり、玄関を設計する上で事前に考慮する必要があった。
また、玄関廻りのクリーニングにおいては、その照明器具の複雑な形状により埃が溜まりやすく、クモの巣等が付着して清掃に手間を要していた。
一方、玄関ドアの上部にガラスを納めている場合、室内の灯りを外へ照らすが、外玄関の明るさ機能はない状態であった。
また、灯りを多く取ろうとして、ガラス面積を大きくした場合には、防犯上の問題が発生する恐れがあった。
更には、従来の玄関ドアにおいては、一度ドアを据え付けるとドア自体を交換しない限り、容易に外観デザインの変更が困難であり、事実上、最初に取り付けた玄関イメージのままになっていた。
しかし、最近のニーズとして、玄関のイメージを他人とは違う個性的にしたいとか、季節に応じて、あるいはクリスマス等特定の祭事に合わせてドア意匠面を表現したい等のライフスタイルに合わせたい要望も高くなっている。
【０００４】
【発明が解決しようとする課題】
本発明は、上記の事情に鑑みて、従来のポーチライトやガーデンライト等の玄関入口廻りの問題を解消して、外玄関のスペースの有効利用、玄関廻りのクリーニングの簡素化、照明面積を大とし、且つ、高い防犯性を有し、所有者のニーズに合わせ、容易にドア表情のイメージ替え等が出来る新しい玄関照明ドア装置の提供を目的とする。
【０００５】
【課題を解決するための手段】
本発明は、上記目的を達成するために講じた手段は、第１に照明機能装置が当該照明機能装置による照明光をドア自身、又は引き戸自身より出射するように、ドア又は引き戸の室内側パネルと室外側パネルの間に空間を設け、その空間に照明機能装置を備え、少なくとも室外側のパネルに照明光を透過する照明パネルを設けることで、ドア自身から照明光を出射している点にある。
【０００６】
請求項２記載の発明の技術的要旨は、室内側ドアパネルと室外側ドアパネルの間に空間を設け、その空間に照明機能装置を備え、少なくとも室外側のドアパネルに照明光を透過する照明パネルを設けている玄関ドア又は引き戸において、絵柄や形状の異なる複数の照明パネルを所有者の好みに応じて取り替えることを可能とした点である。
【０００７】
請求項３記載の発明の技術的要旨は、照明パネルを支持固定している枠の一端に開閉用の回転軸を設け、枠が開くことで照明パネルを脱着し、枠を閉じることで照明パネルを支持固定できるようにして、照明パネルを交換する際には枠を開くことで容易に交換を行えるようにした点にある。
【０００８】
請求項４記載の発明の技術的要旨は、照明パネルと照明パネルを支持する枠及び照明機能装置を一体の照明箱体として構成し、ドア本体から着脱可能として照明パネル交換を行う際には、照明箱体をドア本体から抜き取ることで照明パネルを支持している枠を大きく開くなどして交換の作業性をよくした点にある。
【０００９】
請求項５記載の発明の技術的要旨は、照明パネルと照明パネルを支持する枠及び照明機能装置が一体となった照明箱体をドア本体に通電可能な電通丁番で連結したことにより、照明箱体のドア本体からの抜き差しは、この電通丁番を開閉することで行うことにした点にある。
【００１０】
照明箱体を装着するドア本体開口部の室外側を光透過材で塞ぐと照明パネルのキズ付を防止出来、また、防水性も向上する。
また、この光透過材はガラスカバー材が良い。
【００１１】
室外側パネルに設けた照明パネルが取り付けてある位置に対応して、その室内側パネルに非透過性の裏板もしくは格子を設けると、照明パネルを壊して室内に侵入することを防止することができる。
【００１２】
このような玄関ドア又は引き戸としたことにより、外玄関においては、従来必要であったポーチライトを玄関外壁面に取り付けるためのスペースや、ガーデンライトを設置するための玄関フロアのスペースの確保が不要となっている。
また、玄関の設備がドア又は引き戸に集約され、ポーチライトもしくはガーデンライトの配線工事等が不要となっている。
形状がポーチライト、ガーデンライトと比較して簡潔となり、清掃が容易となっている。
室外側ドアパネル開口部にガラスカバーを取り付けると照明パネルの傷付きを防止し、防水性も確保できる。
本発明では、ドア自身又は引き戸自身がパネルを通して玄関周りを明るく照らす。
パネルには、絵画や模様を施し、パネルは取り替え式であり、所有者の好みに対応が可能である。
クリスマス等の年中行事でも、絵画やキャラクター等のパネルを選択することで、簡単に玄関の模様替えを行うことが出来る。
照明器具の電力は、電通丁番を介して行うと、ドアの開閉に支障が出ることはない。
照明器具に規格品蛍光灯を採用すると、容易に交換出来、保守も容易である。
照明パネルに対応して、室内側に裏板もしくは格子を設けると、外部から照明パネルを壊して室内に侵入することを防止できる。
【００１３】
【発明の実施の形態】
図１に本発明に係る玄関ドア照明装置の正面図を示す。
図２にＡ−Ａ線断面図、図３（イ）にＢ−Ｂ線断面図、図３（ロ）に照明パネル交換時のＢ−Ｂ線断面図、図４に照明箱体を装着するドア本体開口部の室内側が光透過材にて塞がれている場合のＢ−Ｂ線断面図、図５に照明パネルを取り付けてある位置に対応した室内側ドアパネルに、非透過性の裏板が取り付けられている場合のＢ−Ｂ線断面図を、図６には、本発明に係る玄関ドアを親子ドアとした場合の正面図を示す。
ドア本体１０は、金属製等よりなる室内側ドアパネル１１と室外側ドアパネル１２で構成されている。
図１に示した例は、ドア本体１０腰部上部に、室内側ドアパネル１１と室外側ドアパネル１２をロの字形に貫通する開口部が設けられている。
開口部の室外側パネル側面には、照明パネル３０、照明パネル３０を支持する上枠２１ａ、下枠２１ｂ、タテ枠２１ｃ、蛍光灯２２等の照明機能装置等が一体となっている照明箱体２０ａが嵌め込まれていて、照明パネル３０部分にはキャラクター１が描かれている。
【００１４】
照明箱体２０ａの室内側面には格子２８が、室外側面には照明パネル３０が取り付けられている。
照明パネル３０は、拡散板３１、乳白色アクリル板３２、キャラクター１の描かれている模様入りシート３３、透明アクリル板３４から構成され、四方は、回転軸２６を有した開閉可能の上枠２１ａ、下枠２１ｂ、タテ枠２１ｃが閉じることで支持固定されている。
照明箱体２０ａの格子２８と照明パネル３０の間の空間は、ロの字形状の開口部をもつ直方体形状の箱体胴部２０ｂが結合し、箱体胴部２０ｂ内の鉛直方向を向いた壁面に沿った形で蛍光灯２２が設置されている。
照明箱体２０ａは、箱体胴部２０ｂの室内側面に格子２８、室外側に照明パネル３０と照明パネルを四方から支持固定する上枠２１ａ、下枠２１ｂ、タテ枠２１ｃ、照明パネル３０を嵌め込むパネル台３５、蛍光灯２２、ホルダー２３、グローランプ（図示省略）、配線（図示省略）等の照明機能装置を一体化して構成されている。
蛍光灯２２から照射された光は、照明箱体２０ａの室内側の内面にある反射板２４に反射され、拡散板３１、乳白色アクリル板３２、模様入りシート３３、透明アクリル板３４を透過して外玄関を照射する。
ドア本体１０に照明箱体２０ａを嵌め込んでいる開口部は、上桟１４ａ、中桟１４ｂ、タテ框１４ｃにより構成されているが、タテ框１４ｃの開口部空間面には、照明箱体２０ａとタテ框１４ｃを連結する丁番２７が取り付けてあり、照明箱体２０ａはドア本体１０から丁番２７を開閉することで抜き差しすることが可能となっている。
なお、照明箱体と上桟、中桟及びタテ框の間はパッキング材１８にてシールされている。
照明箱体２０ａで照明パネル３０を固定している上枠２１ａ、下枠２１ｂ、タテ枠２１ｃは、照明箱体２０ａを引き出した状態で上枠２１ａ、下枠２１ｂ、タテ枠２１ｃの回転軸２６を軸として開くため、照明パネル３０を取り外して模様入りシート３３を容易に交換することが可能となっている。
模様入りシート３３の交換を行い、照明パネル３０を照明箱体２０ａにはめて、上枠２１ａ、下枠２１ｂ、タテ枠２１ｃを閉じて照明パネル３０を固定し、照明箱体２０ａをドア本体１０に差し込み、ドア本体１０と照明箱体２０ａをロック機構１６で止めれば交換は済む。
なお、本実施例では照明パネル等を開閉式枠で固定した例で示したが、スライド溝を有する固定辺等を設けて挿入固定してもよい。
【００１５】
照明機能装置への給電は、ドアの丁番１５と照明箱体の丁番２７が電通丁番を使用して行われるため、開閉に支障はない。
照明箱体２０ａの室内側の格子は、室外から照明パネル３０を壊して室内に侵入することを防止しており、また、照明箱体内の反射板２４を半透過性のものにすることで、室内側の玄関照明とすることも可能となっている。
また、照明箱体の隣、もしくは子ドアにガラス窓４０又はガラス窓４２が設けられ、玄関室内側への採光を行っている。
【００１６】
図４においては、ガラスカバー１７がドアパネル開口部の室外側を覆って開口部を塞いでいる。
開口部は塞がれているため、パネルへの傷付きを防止し、防水性も確保している。
【００１７】
図５においては、照明箱体２０ａの室内側は非透過性の裏板２９が取り付けられ、防犯性が向上している。
【００１８】
【発明の効果】
本発明においては、室内側と室外側のドアパネル間の空間に、照明機能装置を備え、室外側ドアパネルの照明パネルより照明光が出射される。
照明機能はドア又は引き戸に集約しているため、ドア又は引き戸とは別にポーチライト又はガーデンライト等の独立した照明設備を設置する必要が無くなり、空間の有効利用が可能となり、また、設備工事の手間を省くことが可能となる。
また、清掃作業は複雑な形状をした照明器具と異なり、容易に行うことが出来る。
【００１９】
照明パネルの支持固定は、支持固定用の枠を開閉することで行われる。
照明パネルと照明パネルの支持固定用の枠を一体の照明箱体として、ドア本体より取り外す場合に、照明パネル脱着の作業性は向上する。
模様入りシートは、容易に交換が可能であり、所有者の好みに合わせて施されている絵画や模様を選択することが出来るため、玄関の模様替えを容易に行うことが出来る。
【００２０】
電通丁番を用いて照明パネルと支持固定用の枠を一体化している照明箱体とドア本体とを連結した場合は、照明箱体のドア本体からの抜き差しが容易となり、作業性は向上する。
【００２１】
照明箱体を装着するドア本体の開口部の室外側を、光透過材にて塞いだ場合、照明パネルは傷付きが防止され、防水性が向上する。
【００２２】
照明パネルの室内側には、裏板もしくは格子を設けると、外部から照明パネルを壊して室内に侵入することを防止することができる。
【図面の簡単な説明】
【図１】本発明に係る玄関ドア照明装置の正面図を示す。
【図２】Ａ−Ａ線断面図を示す。
【図３】（イ）はＢ−Ｂ線断面図を示す。（ロ）は模様入りシート交換時のＢ−Ｂ線断面図を示す。
【図４】照明箱体を装着するドア本体開口部の室外側が、光透過材にて塞がれている場合のＢ−Ｂ線断面図。
【図５】照明パネルを取り付けてある位置に対応した室内側ドアパネルに、非透過性の裏板が取り付けられている場合のＢ−Ｂ線断面図。
【図６】本発明に係る玄関ドアを親子ドアとした場合の正面図。
【符号の説明】
１      キャラクター
１０    ドア本体
１１    室内側ドアパネル
１２    室外側ドアパネル
１４ａ  上桟
１４ｂ  中桟
１４ｃ  タテ框
１５    丁番
１６    ロック機構
１７    ガラスカバー
１８    パッキング材
２０ａ  照明箱体
２０ｂ  箱体胴部
２１ａ  上枠
２１ｂ  下枠
２１ｃ  タテ枠
２２    蛍光灯
２３    ホルダー
２４    反射板
２５    固定部
２６    回転軸
２７    丁番
２８    格子
２９    裏板
３０    照明パネル
３１    拡散板
３２    乳白色アクリル板
３３    模様入りシート
３４    透明アクリル板
３５    パネル台
４０    ガラス窓
４１    子ドア
４２    ガラス窓
４３    通電ケーブル
４４    端子台
【図１】
2004270223.tif 000003
【図２】
2004270223.tif 000004
【図３】
2004270223.tif 000005
【図４】
2004270223.tif 000006
【図５】
2004270223.tif 000007
【図６】
2004270223.tif 000008